(57)【要約】【課題】遮音性と放熱性と通気性とを有するパネル材、及びそれを用いた発熱機器の収納室を提供する。【解決手段】パネル材１は、前記パネル材の一側面となり熱伝導性を有する第一板状部材１０と、前記パネル材の他側面となり熱伝導性を有する第二板状部材２０と、前記第一板状部材と前記第二板状部材との間でこれらの部材を離間した状態で連結する熱伝導性を有する連結部材３０と、前記第一板状部材と前記第二板状部材との間に配設される吸音材４０と、前記第一板状部材に開口される第一開口部（第一上部開口部１１及び第一下部開口部１２）と前記第二板状部材に開口される第二開口部（第二上部開口部２１及び第二下部開口部２２）とを連通する通気孔（上部通気孔５０及び下部通気孔６０）を具備する。【選択図】図８
2014001598.tif 000002
【特許請求の範囲】
【請求項１】
建築用材料として用いられる板状のパネル材であって、
前記パネル材の一側面となり熱伝導性を有する第一板状部材と、
前記パネル材の他側面となり熱伝導性を有する第二板状部材と、
前記第一板状部材と前記第二板状部材との間でこれらの部材を離間した状態で連結する熱伝導性を有する連結部材と、
前記第一板状部材と前記第二板状部材との間に配設される吸音材と、
前記第一板状部材に開口される第一開口部と前記第二板状部材に開口される第二開口部とを連通する通気孔と、を具備する、
パネル材。
【請求項２】
前記連結部材は、前記パネル材の厚さ方向に延出された隔壁によりハニカム構造を有する、
ことを特徴とする請求項１に記載のパネル材。
【請求項３】
前記通気孔は、前記第一板状部材と前記第二板状部材との間で前記吸音材により区画形成され、中途部で屈曲されて蛇行して形成される、
ことを特徴とする請求項１又は請求項２に記載のパネル材。
【請求項４】
請求項１から請求項３までのいずれか一項に記載のパネル材を用いた、
発熱機器の収納室。
【請求項５】
前記収納室の一側壁部に、前記収納室の外部と連通する収納室通気孔が設けられ、
前記収納室通気孔には、送風ファンが設けられる、
ことを特徴とする請求項４に記載の発熱機器の収納室。
【請求項６】
前記収納室の外部とは、前記収納室を有する建築物の屋外であり、
前記パネル材は、前記収納室の他側壁部として、前記建築物の屋内で前記収納室を区画形成するために用いられる、
ことを特徴とする請求項５に記載の発熱機器の収納室。
【発明の詳細な説明】
【技術分野】
【０００１】
本発明は、建築用材料として用いられる板状のパネル材及びそれを用いた発熱機器の収納室の技術に関する。
【背景技術】
【０００２】
従来、建築用材料として用いられる板状のパネル材において、遮音性と放熱性（熱拡散性）とを有する技術は公知となっている。例えば、特許文献１に記載の如くである。
しかしながら、特許文献１に記載の技術では、前記パネル材は、通気性を有していなかった。したがって、例えば前記パネル材を用いて発熱機器の収納室を区画形成した場合、前記発熱機器から生ずる発熱による前記収納室の内部の温度上昇を（放熱性だけでは足りないため）より効果的に防止する必要があった。すなわち、前記収納室の内部の換気を行うため、別途換気口を形成する必要が有る点で不利であった。
【先行技術文献】
【特許文献】
【０００３】
【特許文献１】特開２００７−３１３６９８号公報
【発明の概要】
【発明が解決しようとする課題】
【０００４】
本発明は以上の如き状況に鑑みてなされたものであり、その解決しようとする課題は、遮音性と放熱性と通気性とを有するパネル材、及びそれを用いた発熱機器の収納室を提供することである。
【課題を解決するための手段】
【０００５】
本発明の解決しようとする課題は以上の如くであり、次にこの課題を解決するための手段を説明する。
【０００６】
即ち、請求項１においては、パネル材は、建築用材料として用いられる板状のパネル材であって、前記パネル材の一側面となり熱伝導性を有する第一板状部材と、前記パネル材の他側面となり熱伝導性を有する第二板状部材と、前記第一板状部材と前記第二板状部材との間でこれらの部材を離間した状態で連結する熱伝導性を有する連結部材と、前記第一板状部材と前記第二板状部材との間に配設される吸音材と、前記第一板状部材に開口される第一開口部と前記第二板状部材に開口される第二開口部とを連通する通気孔と、を具備するものである。
【０００７】
請求項２においては、前記連結部材は、前記パネル材の厚さ方向に延出された隔壁によりハニカム構造を有するものである。
【０００８】
請求項３においては、前記通気孔は、前記第一板状部材と前記第二板状部材との間で前記吸音材により区画形成され、中途部で屈曲されて蛇行して形成されるものである。
【０００９】
請求項４においては、発熱機器の収納室は、請求項１から請求項３までのいずれか一項に記載のパネル材を用いたものである。
【００１０】
請求項５においては、前記収納室の一側壁部に、前記収納室の外部と連通する収納室通気孔が設けられ、前記収納室通気孔には、送風ファンが設けられるものである。
【００１１】
請求項６においては、前記収納室の外部とは、前記収納室を有する建築物の屋外であり、前記パネル材は、前記収納室の他側壁部として、前記建築物の屋内で前記収納室を区画形成するために用いられるものである。
【発明の効果】
【００１２】
本発明の効果として、以下に示すような効果を奏する。
【００１３】
本発明においては、遮音性と放熱性と通気性とを有するパネル材、及びそれを用いた発熱機器の収納室を提供することができる。
【図面の簡単な説明】
【００１４】
【図１】本発明の一実施形態に係るパネル材の構成を示した正面図。
【図２】同じく、側面断面図。
【図３】図２におけるＡ−Ａ断面を示した図。
【図４】パネル材を用いた蓄電装置収納室を有する住宅の１階部分を示した平面図。
【図５】（ａ）折り返し階段を示した平面図。（ｂ）図５（ａ）におけるＢ−Ｂ断面を示した図。
【図６】図５（ａ）におけるＣ−Ｃ断面を示した図。
【図７】図６における蓄電装置収納室を拡大した図。
【図８】パネル材の通気性、遮音性、放熱性を示した図。
【図９】送風ファンが駆動していない状態での蓄電装置収納室の様子を示した図。
【図１０】送風ファンが駆動している状態での蓄電装置収納室の様子を示した図。
【図１１】（ａ）本発明の別実施形態に係るパネル材の構成を示した正面図。（ｂ）同じく、本体部と上部通気部と下部通気部との構成を示した分解側面断面図。
【発明を実施するための形態】
【００１５】
図１から図３を用いて、本発明に係る「パネル材」の一実施形態であるパネル材１の構成について説明する。
なお、以下では、図中に示す矢印の方向に基づいて前後、左右、及び上下方向を規定する。
【００１６】
パネル材１は、建築用材料として用いられる板状部材であり、扉や、間仕切りや、天板や、壁等に用いることができる。パネル材１は、主として第一板状部材１０、第二板状部材２０、連結部材３０、吸音材４０、上部通気孔５０、下部通気孔６０、パッキン材７０、により構成される。
【００１７】
第一板状部材１０は、パネル材１の前（一）側面となる。第一板状部材１０は、板状部材であり、正面視で上下方向に細長い略矩形に形成される。第一板状部材１０は、その板面を前後方向へ向けて配置される。第一板状部材１０は、熱伝導性を有する材質により形成されるものであり、本実施形態ではアルミニウムにより形成される。なお、第一板状部材１０は、アルミニウム以外であっても、ステンレスや、鉄や、金属合金等の熱伝導性を有する材質であれば良いが、熱伝導性が高い材質がより好ましい。第一板状部材１０は、第一上部開口部１１と、第一下部開口部１２と、を具備する。
【００１８】
第一上部開口部１１は、正面視で左右方向に細長い矩形状に開口された開口部である。第一上部開口部１１は、第一板状部材１０の上部に配置される。第一上部開口部１１は、第一板状部材１０を前後方向に貫通して形成される。第一上部開口部１１には、第一上部通気ガラリ１３が取り付けられる。第一上部通気ガラリ１３は、複数の羽板からなるルーバーを有し、空気の流通が可能なように構成される。
【００１９】
第一下部開口部１２は、正面視で左右方向に細長い矩形状に開口された開口部である。第一下部開口部１２は、第一板状部材１０の下部、すなわち第一上部開口部１１の下方に配置される。第一下部開口部１２は、第一板状部材１０を前後方向に貫通して形成される。第一下部開口部１２には、第一下部通気ガラリ１４が取り付けられる。第一下部通気ガラリ１４は、複数の羽板からなるルーバーを有し、空気の流通が可能なように構成される。
【００２０】
第二板状部材２０は、パネル材１の後（他）側面となる。第二板状部材２０は、板状部材であり、正面視で上下方向に細長い略矩形に形成される。第二板状部材２０は、その板面を前後方向へ向け、第一板状部材１０と前後に対向して配置される。なお、第二板状部材２０は、第一板状部材１０から離間した状態で配置され、当該第一板状部材１０との間に隙間が形成される。第二板状部材２０は、熱伝導性を有する材質により形成されるものであり、本実施形態ではアルミニウムにより形成される。なお、第二板状部材２０は、アルミニウム以外であっても、ステンレスや、鉄や、金属合金等の熱伝導性を有する材質であれば良いが、熱伝導性が高い材質がより好ましい。第二板状部材２０は、第二上部開口部２１と、第二下部開口部２２と、を具備する。
【００２１】
第二上部開口部２１は、正面視で左右方向に細長い矩形状に開口された開口部である。第二上部開口部２１は、第二板状部材２０の上部に配置される。なお、第二上部開口部２１は、上下高さ位置で第一上部開口部１１よりも上方に配置される。換言すれば、第二上部開口部２１は、前後方向において第一上部開口部１１と重複しない位置に配置される。第二上部開口部２１は、第二板状部材２０を前後方向に貫通して形成される。第二上部開口部２１には、第二上部通気ガラリ２３が取り付けられる。第二上部通気ガラリ２３は、複数の羽板からなるルーバーを有し、空気の流通が可能なように構成される。
【００２２】
第二下部開口部２２は、正面視で左右方向に細長い矩形状に開口された開口部である。第二下部開口部２２は、第二板状部材２０の下部、すなわち第二上部開口部２１の下方に配置される。なお、第二下部開口部２２は、上下高さ位置で第一下部開口部１２よりも下方に配置される。換言すれば、第二下部開口部２２は、前後方向において第一下部開口部１２と重複しない位置に配置される。第二下部開口部２２は、第二板状部材２０を前後方向に貫通して形成される。第二下部開口部２２には、第二下部通気ガラリ２４が取り付けられる。第二下部通気ガラリ２４は、複数の羽板からなるルーバーを有し、空気の流通が可能なように構成される。
【００２３】
連結部材３０は、第一板状部材１０と第二板状部材２０とを離間した状態で連結する部材である。連結部材３０は、熱伝導性を有する材質により形成され、本実施形態ではアルミニウムにより形成される。なお、連結部材３０は、アルミニウム以外であっても、ステンレスや、鉄や、金属合金等の熱伝導性を有する材質であれば良いが、熱伝導性が高い材質がより好ましい。
【００２４】
なお、連結部材３０は、パネル材１の厚さ方向（前後方向）に延出された隔壁３１によりハニカム構造を有している。より詳細には、連結部材３０は、正面視で略正六角形状に形成された複数のセル３２・３２・・・が、隔壁３１により区画形成される。複数のセル３２・３２・・・は、軸心方向を前後方向へ向け、上下左右方向に連設される。なお、本実施形態では、複数のセル３２・３２・・・は正面視で略正六角形状に形成されるが、円形や、楕円形や、三角形状等であったり、これらを組み合わせて形成されても良い。
【００２５】
また、連結部材３０は、第一板状部材１０と第二板状部材２０との間に、正面視で全面的に配置される。すなわち、連結部材３０の複数のセル３２・３２・・・が、上下方向においては第一板状部材１０と第二板状部材２０との隙間の上端部から下端部までの間、左右方向においては第一板状部材１０と第二板状部材２０との隙間の左端部から右端部までの間に、概ね連なった状態で配置される。なお、本実施形態では、後述する上部通気孔５０及び下部通気孔６０が配置されている場所には、連結部材３０は配置されていない。
【００２６】
このような構成により、連結部材３０は、第一板状部材１０と第二板状部材２０とを全面的に連結する。すなわち、連結部材３０は、第一板状部材１０と第二板状部材２０とを均一に連結するものであり、第一板状部材１０と第二板状部材２０とにおいて連結部材３０により連結されている箇所と連結されていない箇所とのムラを無くしている。換言すれば、連結部材３０の複数のセル３２・３２・・・が上下左右方向に連設されて第一板状部材１０及び第二板状部材２０に連結されているため、第一板状部材１０及び第二板状部材２０の任意の箇所から最も近い隔壁３１までの長さが、極端に長くなったり、短くなったりと、ばらつきが生じることを防止している（第一板状部材１０及び第二板状部材２０の任意の箇所から最も近い隔壁３１までの長さが、全体的に比較的短くなるように設定される）。
【００２７】
吸音材４０は、騒音を吸収するための部材である。吸音材４０は、第一板状部材１０と第二板状部材２０との間に配設（充填）される。吸音材４０は、本実施形態では、グラスウールにより形成される。なお、吸音材４０は、グラスウール以外であっても、ロックウールや、スチールウールや、樹脂系発泡体等であっても良い。吸音材４０は、第一板状部材１０と第二板状部材２０との間に、正面視で全面的に配置される。すなわち、吸音材４０は、上下方向においては第一板状部材１０と第二板状部材２０との隙間の上端部から下端部までの間、左右方向においては第一板状部材１０と第二板状部材との隙間の左端部から右端部までの間に、概ね隙間無く配置される。このように、吸音材４０は、連結部材３０と同一の配置場所に配置される。より詳細には、吸音材４０は、連結部材３０の隔壁３１により区画形成された空間（複数のセル３２・３２・・・等）の内側に充填される。
【００２８】
上部通気孔５０は、第一板状部材１０に開口された第一上部開口部１１と、第二板状部材２０に開口された第二上部開口部２１と、を連通するものである。すなわち、上部通気孔５０は、パネル材１の一（表）面側の空間と、（後）面側の空間と、を通気させるものである（図８中の矢印Ｗ参照）。上部通気孔５０は、第一板状部材１０と第二板状部材２０との間で、吸音材４０により区画形成される。すなわち、上部通気孔５０の内壁面は、吸音材４０により形成される。なお、上部通気孔５０は、中途部で屈曲されて蛇行し、側面視で略Ｌ字状に形成される。より詳細には、上部通気孔５０は、第一上部開口部１１から後方へ向けて延出され、その後端部から上方へ向けて延出され、その上端部から後方へ向けて延出されて第二上部開口部２１に連結される。このように、パネル材１は、上部通気孔５０により、通気性を有している。
【００２９】
下部通気孔６０は、第一板状部材１０に開口された第一下部開口部１２と、第二板状部材２０に開口された第二下部開口部２２と、を連通するものである。すなわち、下部通気孔６０は、パネル材１の一（表）面側の空間と、（後）面側の空間と、を通気させるものである（図８中の矢印Ｗ参照）。下部通気孔６０は、第一板状部材１０と第二板状部材２０との間で、吸音材４０により区画形成される。すなわち、下部通気孔６０の内壁面は、吸音材４０により形成される。なお、下部通気孔６０は、中途部で屈曲されて蛇行し、側面視で略Ｌ字状に形成される。より詳細には、下部通気孔６０は、第一下部開口部１２から後方へ向けて延出され、その後端部から下方へ向けて延出され、その下端部から後方へ向けて延出されて第二下部開口部２２に連結される。このように、パネル材１は、下部通気孔６０により、通気性を有している。
【００３０】
パッキン材７０は、断面視で略半円状に形成されたテープ状の部材である。パッキン材７０は、本実施形態では、ゴムにより形成される。パッキン材７０は、第一板状部材１０の前側面の左右及び上側縁部に沿って取り付けられる。また、パッキン材７０は、パネル材１の下側面に、短手方向（左右方向）に沿って取り付けられる。このような構成によって、パッキン材７０は、パネル材１が例えば扉として用いられたときに、当該パネル材１と床面や他の側壁等との間の隙間（空間）を無くし、防音効果を高めている（図７及び図８参照）。
【００３１】
以上の如き構成のパネル材１は、本実施形態では、住宅１００において、後述する蓄電装置２００を収納する蓄電装置収納室１２１の扉として用いられている。
【００３２】
次に、図４を用いて、蓄電装置収納室１２１を有する住宅１００（１階部分のみ）の全体構成について説明する。
【００３３】
なお、住宅１００は、本発明に係る「建築物」の一実施形態である。本発明に係る「建築物」は、住宅に限定するものではなく、例えばオフィスビル、駅舎、ホテル等に広く適用することが可能である。
【００３４】
住宅１００の１階には、玄関１０１、玄関ホール１０２、廊下１０３、トイレ１０４、折り返し階段１０５、階段下収納１０６、デッキ１０７、車庫１０８、及びリビング１０９が配置される。
【００３５】
住宅１００の北東部分には、玄関１０１が配置される。玄関１０１の南西側には、玄関ホール１０２が配置される。玄関ホール１０２の西側には、西方向に向かって廊下１０３が延設される。廊下１０３の北側には、東から西に向かって順にトイレ１０４及び折り返し階段１０５が、住宅１００の外壁１１３に沿うように配置される。廊下１０３の西側には、リビング１０９が配置される。また、折り返し階段１０５の下方には、階段下収納１０６が配置される。
【００３６】
階段下収納１０６の内部には、蓄電装置収納室１２１が配置される。また、蓄電装置収納室１２１の内部には、蓄電装置２００が配置（収納）される（図７参照）。
【００３７】
なお、蓄電装置２００は、本発明に係る「発熱機器」の一実施形態である。ここで、本発明に係る「発熱機器」とは、その駆動により騒音及び発熱が生じて問題となる機器を指すものである。
本実施形態では、蓄電装置２００は、電力を充電すると共に、当該充電した電力を放電する機器である。蓄電装置２００は、電力を充放電可能なリチウムイオン電池及び当該リチウムイオン電池からの直流電力を交流電力に変換するインバータ等を具備する。
なお、蓄電装置２００は、充電又は放電する（駆動した）場合に、騒音及び発熱が生じて問題となる機器である。より詳細には、蓄電装置２００は、充電又は放電する効率の低下や寿命の低下を防止するための最適な温度帯（例えば、２０度から２５度までの間）が設定され、発熱した場合には冷却されることを必要とする。
【００３８】
次に、図５から図７を用いて、蓄電装置収納室１２１の構成について、さらに詳細に説明する。
【００３９】
蓄電装置収納室１２１は、前述の如く折り返し階段１０５の下方の階段下収納１０６の内部に配置される。
【００４０】
折り返し階段１０５は、１階側の下部階段１０５ａと、２階側の上部階段１０５ｂと、当該下部階段１０５ａ及び上部階段１０５ｂの間に形成される踊り場１０５ｃと、当該下部階段１０５ａ、踊り場１０５ｃ及び上部階段１０５ｂに亘って設けられる手すり１０５ｄと、を具備する。
【００４１】
階段下収納１０６は、上部階段１０５ｂ及び踊り場１０５ｃの下方に配置される。階段下収納１０６の後部には、廊下１０３側から開閉可能な階段下収納扉１２０が設けられ、当該階段下収納１０６と廊下１０３との空間が仕切られる。
【００４２】
階段下収納１０６のさらに内部、より詳細には階段下収納１０６の前部には、蓄電装置収納室１２１が配置される。蓄電装置収納室１２１は、側壁１１１・１１１と、上部仕切壁１１２と、パネル材１と、外壁１１３と、により仕切られた空間である。なお、以下では、階段下収納１０６のうち蓄電装置収納室１２１が仕切られた空間以外の空間を、階段下収納室１２２と称する。
【００４３】
側壁１１１・１１１は、蓄電装置収納室１２１の左右両側方において、当該蓄電装置収納室１２１と他の空間（例えば、トイレ１０４等）とを仕切るものである。
上部仕切壁１１２は、蓄電装置収納室１２１の上方において、当該蓄電装置収納室１２１と他の空間（例えば、折り返し階段１０５のすぐ下方の空間等）とを仕切り、蓄電装置収納室１２１の天井となるものである。
【００４４】
蓄電装置収納室１２１の後部には、後方から開閉可能な扉としてのパネル材１が設けられ、当該蓄電装置収納室１２１と階段下収納室１２２（階段下収納１０６の後部）との空間が仕切られる。すなわち、パネル材１は、住宅１００の屋内で蓄電装置収納室１２１を区画形成するために用いられている。
【００４５】
住宅１００の外壁１１３のうち、蓄電装置収納室１２１と対向する部分には、当該蓄電装置収納室１２１の内部と外部とを連通する収納室通気孔１１５が形成される。収納室通気孔１１５は、蓄電装置収納室１２１の内部の上部に配置される。なお、収納室通気孔１１５は、蓄電装置収納室１２１の内部と住宅１００の屋外とを連通する。
【００４６】
収納室通気孔１１５の屋外側の開口部には、通気ガラリ１１７が取り付けられる。通気ガラリ１１７は、複数の羽板からなるルーバーを有し、空気の流通が可能なように構成される。また、収納室通気孔１１５の屋内（蓄電装置収納室１２１）側の開口部には、送風ファン１１６が取り付けられる。送風ファン１１６は駆動可能に構成され、その駆動により蓄電装置収納室１２１の内部の空気を住宅１００の屋外へと排出することができる。
【００４７】
以上の如く構成された蓄電装置収納室１２１において、蓄電装置２００が駆動した場合の、パネル材１の態様について、図８を用いて説明する。
なお、図８において、矢印Ｗは、空気の流れを示している。また、矢印Ｔ１は、熱の伝導を示している。また、矢印Ｔ２は、熱の放熱を示している。また、矢印Ｎ１は、騒音の伝播を示している。また、矢印Ｎ２は、騒音の吸音を示している。
【００４８】
蓄電装置２００が駆動して発熱が生じた場合、当該発熱により蓄電装置収納室１２１の内部の空気が暖められることとなる。そして、当該暖められた空気は、蓄電装置収納室１２１の内部でパネル材１の前側面である第一板状部材１０に接触する。第一板状部材１０は、熱伝導性を有する材質であるアルミニウムで形成されているため、前記暖められた空気の熱は当該第一板状部材１０に伝導される。そして、第一板状部材１０に伝導された熱は、当該第一板状部材１０と同様にアルミニウムで形成されている連結部材３０に伝導される。そして、連結部材３０に伝導された熱は、当該連結部材３０と同様にアルミニウムで形成されている第二板状部材２０に伝導される。そして、第二板状部材２０に伝導された熱は、階段下収納室１２２の内部でパネル材１の後側面である第二板状部材２０に接触する空気、すなわち蓄電装置収納室１２１の外部の空気に放熱される。
【００４９】
このように、パネル材１は、放熱性を有するものであり、例えば蓄電装置収納室１２１の内部と外部との通気が行われていない場合であっても、蓄電装置収納室１２１の内部から外部へと熱を放熱することにより、蓄電装置収納室１２１の内部を冷却することができる。
【００５０】
なお、連結部材３０は、当該パネル材１の厚さ方向に延出された隔壁３１によりハニカム構造を有している。これによって、連結部材３０は、第一板状部材１０及び第二板状部材２０の任意の箇所から最も近い隔壁３１までの長さが、全体的に比較的短くなるように設定される。したがって、第一板状部材１０から、連結部材３０、第二板状部材２０と順番に熱が伝導されるパネル材１の構成において、熱の伝導経路の長さを比較的短くすることができ、蓄電装置収納室１２１の内部を、より効果的に冷却することができる。
【００５１】
また、連結部材３０の隔壁３１の厚さを調整することによって、蓄電装置収納室１２１の内部の冷却効率を容易に調整することができる。より詳細には、連結部材３０の隔壁３１の幅を太くした場合には、第一板状部材１０と第二板状部材２０とに対する連結部材３０の接触面積が大きくなり、連結部材３０を介して当該第一板状部材１０から当該第二板状部材２０へと伝導される熱の量が多くなる。すなわち、蓄電装置収納室１２１の内部の冷却効率を高く設定（調整）することができる。これに対して、連結部材３０の隔壁３１の幅を細くした場合には、第一板状部材１０と第二板状部材２０とに対する連結部材３０の接触面積が小さくなり、連結部材３０を介して当該第一板状部材１０から当該第二板状部材２０へと伝導される熱の量が少なくなる。すなわち、蓄電装置収納室１２１の内部の冷却効率を低く設定（調整）することができる。
【００５２】
蓄電装置２００が駆動して騒音が生じた場合、当該騒音は、蓄電装置収納室１２１の内部でパネル材１の前側面である第一板状部材１０に伝播される。そして、第一板状部材１０に伝播された騒音は、当該第一板状部材１０と第二板状部材２０との間に充填された当該吸音材４０に吸音されることとなる。
【００５３】
また、蓄電装置２００が駆動して騒音が生じた場合、当該騒音は、前述の如く第一板状部材１０に伝播される以外に、上部通気孔５０及び下部通気孔６０の内部に伝播される。しかしながら、上部通気孔５０及び下部通気孔６０は、中途部で屈曲されて蛇行し側面視で略Ｌ字状に形成されるものである。したがって、上部通気孔５０及び下部通気孔６０の内部に伝播された騒音は、当該上部通気孔５０及び下部通気孔６０の屈曲された中途部で、当該上部通気孔５０及び下部通気孔６０の内壁面に吸音されることとなる。
【００５４】
なお、上部通気孔５０及び下部通気孔６０の内壁面は、吸音材４０により形成されるものである。これによって、上部通気孔５０及び下部通気孔６０の内部に伝播された騒音は、当該上部通気孔５０及び下部通気孔６０の屈曲された中途部で、当該上部通気孔５０及び下部通気孔６０の内壁面に、より効果的に吸音されることとなる。
【００５５】
このように、パネル材１は、（通気性を有するものの）遮音性を有し、蓄電装置収納室１２１の内部で生じた騒音が外部に伝播することを防止することができる。
【００５６】
次に、蓄電装置２００が駆動した場合であって、且つ送風ファン１１６が駆動していない場合の当該蓄電装置収納室１２１の態様について、図９を用いて説明する。
【００５７】
なお、図９において、蓄電装置収納室１２１の内部の３層に区分けされた色の濃さは、空気の温度の差を示している。より詳細には、最も色が濃い箇所（蓄電装置収納室１２１の内部の上部）の空気の温度が最も高く、次に色が濃い箇所（蓄電装置収納室１２１の内部の中部）の空気の温度が前記上部よりも低く、次に色が濃い箇所（蓄電装置収納室１２１の内部の下部）の空気の温度が前記中部よりも低いことを示している。
【００５８】
図９に示すように、蓄電装置２００が駆動して発熱が生じた場合、当該発熱により蓄電装置収納室１２１の内部の空気が暖められることとなる。そして、当該暖められた空気は、冷たい空気よりも比重が軽く上昇するため、蓄電装置収納室１２１の内部には、上下方向に異なる温度の空気層が生じることとなる。そして、前述の如くパネル材１の第一板状部材１０に接触している空気の熱は、当該第一板状部材１０に伝導される。すなわち、パネル材１の第一板状部材１０に接触している空気の温度は下がり、当該温度が下がった空気は下降することとなる。その結果、蓄電装置収納室１２１の内部には、図９中で時計回りの空気の流れ（自然対流）が生じることとなる（矢印Ｘ１参照）。そして、当該空気の流れに応じて、下部通気孔６０を通じて蓄電装置収納室１２１の外部（階段下収納室１２２）の空気が内部に供給されることとなる（矢印Ｙ１参照）。また、上部通気孔５０を通じて蓄電装置収納室１２１の内部の空気が外部（階段下収納室１２２）に排出されることとなる（矢印Ｙ２参照）。
【００５９】
このように、蓄電装置２００が駆動した場合であって、且つ送風ファン１１６が駆動していない場合であっても、蓄電装置収納室１２１の内部には空気の流れが生じ、当該蓄電装置収納室１２１の内部を換気（自然換気）することができる。
【００６０】
なお、パネル材１を用いて蓄電装置収納室１２１を区画形成することにより、別途換気口を形成しなくても当該パネル材１が通気性を有しているため、蓄電装置２００から生ずる発熱による蓄電装置収納室１２１の温度上昇を効果的に防止することができる。
【００６１】
次に、蓄電装置２００が駆動した場合であって、且つ送風ファン１１６が駆動した場合の当該蓄電装置収納室１２１の態様について、図１０を用いて説明する。
【００６２】
なお、図１０において、蓄電装置収納室１２１の内部の３層に区分けされた色の濃さは、空気の温度の差を示している。より詳細には、最も色が濃い箇所（蓄電装置収納室１２１の内部の上部）の空気の温度が最も高く、次に色が濃い箇所（蓄電装置収納室１２１の内部の中部）の空気の温度が前記上部よりも低く、次に色が濃い箇所（蓄電装置収納室１２１の内部の下部）の空気の温度が前記中部よりも低いことを示している。
【００６３】
図１０に示すように、蓄電装置２００が駆動して発熱が生じた場合、当該発熱により蓄電装置収納室１２１の内部の空気が暖められることとなる。そして、当該暖められた空気は、冷たい空気よりも比重が軽く上昇するため、蓄電装置収納室１２１の内部には、上下方向に異なる温度の空気層が生じることとなる。そして、蓄電装置収納室１２１の内部の上部に配置された送風ファン１１６が駆動されると、当該蓄電装置収納室１２１の内部の暖められた温度の高い空気が、収納室通気孔１１５を通じて当該蓄電装置収納室１２１の外部へ排出される（矢印Ｚ参照）。そして、蓄電装置収納室１２１の内部の空気が送風ファン１１６により収納室通気孔１１５を通じて外部へ排出されると、上部通気孔５０及び下部通気孔６０を通じて蓄電装置収納室１２１の外部の空気が内部に供給される（矢印Ｙ１参照）。
【００６４】
このように、蓄電装置２００が駆動した場合であっても、送風ファン１１６が駆動した場合には、蓄電装置収納室１２１の内部を効果的に換気することができる。
【００６５】
なお、本実施形態では、蓄電装置収納室１２１の内部の空気が送風ファン１１６により収納室通気孔１１５を通じて排出される外部とは、住宅１００の屋外である。他方、上部通気孔５０及び下部通気孔６０を通じて蓄電装置収納室１２１の内部へ供給される当該蓄電装置収納室１２１の外部とは、階段下収納室１２２（屋内）である。すなわち、例えば夏場のように、屋外よりも屋内のほうが空気の温度が低い場合には、当該温度の低い空気を蓄電装置収納室１２１の内部に供給すると共に、蓄電装置収納室１２１の内部の温められた温度の高い空気を屋外に排出することができ、当該蓄電装置収納室１２１の内部を、より効果的に換気することができる。
【００６６】
次に、図１１を用いて、本発明に係る「パネル材」の別実施形態であるパネル材３００の構成について説明する。
なお、前述の如きパネル材１と同一の構成の箇所については、同一の符号を付することで適宜にその説明を省略する。
【００６７】
パネル材３００は、上部通気部３０１と、下部通気部３０２と、本体部３０３と、を具備する。
【００６８】
上部通気部３０１は、本体部３０３に取り外し可能に構成される部材である。上部通気部３０１は、吸音材４０により区画形成された上部通気孔５０を有する。上部通気部３０１は、熱伝導性を有する材質である第一板状部材片３１０と第二板状部材片３２０とが、連結部材３０により連結され、その内側に吸音材４０が充填されて形成される。
【００６９】
下部通気部３０２は、本体部３０３に取り外し可能に構成される部材である。下部通気部３０２は、吸音材４０により区画形成された下部通気孔６０を有する。下部通気部３０２は、熱伝導性を有する材質である第一板状部材片３１０と第二板状部材片３２０とが、連結部材３０により連結され、その内側に吸音材４０が充填されて形成される。
【００７０】
このような構成により、パネル材３００は、本体部３０３に、上部通気部３０１及び下部通気部３０２を取り付けることによって形成される。すなわち、本体部３０３には予め通気部を形成しておく必要が無く、後から上部通気部３０１及び下部通気部３０２を取り付けば良いため、パネル材３００の組み立てを容易とすることができる。
【００７１】
以上のように、パネル材１は、
建築用材料として用いられる板状のパネル材であって、
前記パネル材の一側面となり熱伝導性を有する第一板状部材１０と、
前記パネル材の他側面となり熱伝導性を有する第二板状部材２０と、
前記第一板状部材と前記第二板状部材との間でこれらの部材を離間した状態で連結する熱伝導性を有する連結部材３０と、
前記第一板状部材と前記第二板状部材との間に配設される吸音材４０と、
前記第一板状部材に開口される第一開口部（第一上部開口部１１及び第一下部開口部１２）と前記第二板状部材に開口される第二開口部（第二上部開口部２１及び第二下部開口部２２）とを連通する通気孔（上部通気孔５０及び下部通気孔６０）を具備するものである。
【００７２】
また、前記連結部材は、前記パネル材の厚さ方向に延出された隔壁３１によりハニカム構造を有するものである。
【００７３】
また、前記通気孔は、前記第一板状部材と前記第二板状部材との間で前記吸音材により区画形成され、中途部で屈曲されて蛇行して形成されるものである。
【００７４】
また、発熱機器（蓄電装置２００）の収納室（蓄電装置収納室１２１）は、前述の如き構成のパネル材１を用いたものである。
【００７５】
また、前記収納室の一側壁部に、前記収納室の外部と連通する収納室通気孔（収納室通気孔１１５）が設けられ、
前記収納室通気孔には、送風ファン１１６が設けられるものである。
【００７６】
また、前記収納室の外部とは、前記収納室を有する建築物（住宅１００）の屋外であり、
前記パネル材は、前記収納室の他側壁部として、前記建築物の屋内で前記収納室を区画形成するために用いられるものである。
【００７７】
このような構成によって、遮音性と放熱性と通気性とを有するパネル材１、及びそれを用いた発熱機器（蓄電装置２００）の収納室（蓄電装置収納室１２１）を提供することができる。
【符号の説明】
【００７８】
１        パネル材
１０      第一板状部材
１１      第一上部開口部
１２      第一下部開口部
２０      第二板状部材
２１      第二上部開口部
２２      第二下部開口部
３０      連結部材
４０      吸音材
５０      上部通気孔
６０      下部通気孔
【図１】
2014001598.tif 000003
【図２】
2014001598.tif 000004
【図３】
2014001598.tif 000005
【図４】
2014001598.tif 000006
【図５】
2014001598.tif 000007
【図６】
2014001598.tif 000008
【図７】
2014001598.tif 000009
【図８】
2014001598.tif 000010
【図９】
2014001598.tif 000011
【図１０】
2014001598.tif 000012
【図１１】
2014001598.tif 000013